【手続補正書】
【提出日】平成15年5月29日(2003.5.29)
【手続補正１】
【補正対象書類名】明細書
【補正対象項目名】特許請求の範囲
【補正方法】変更
【補正の内容】
【特許請求の範囲】
【請求項１】
炎生成装置であって、
棒に連結された本体を有し、該本体はカットアウト部分を構成し、この本体の部分が予め組立てたライターを収容し、
前記ライターが、圧電式点火装置と、閉鎖位置と開放位置との間で可動な弁と流体連通している燃料源とを備え、
前記弁と点火装置が、押しボタンによって作動されて、選択的に燃料を放出し、火花を発生させ、
前記ライターがさらにラッチ部材を備え、前記ラッチ部材は、前記ライターが作動しない位置と、前記ライターが作動する位置との間を移動することができ、
前記炎発生装置は更に、前記棒内に配置され、前記ライターの前記弁およびノズルと流体連通している内部管を有し、前記棒と前記内部管は、前記点火装置が作動されたときに前記火花が前記ノズル付近で発生されるように、前記点火装置と電気接続され、
前記本体の前記カットアウト部分は、前記ライターが前記本体内側に受け入れられたときに使用者が作動させることができるように、前記押しボタンとラッチ部材を露出させるように寸法形状決めされている、
炎生成装置。
【請求項２】
端部キャップをさらに備えており、前記端部キャップが、前記ライターを前記本体内に保持するべく、前記本体の第１端部に嵌まるようになっている、請求項１記載の炎生成装置。
【請求項３】
前記ノズルが、前記本体の前記第１端部から離れた前記内部管の第２端部に配置されている、請求項２記載の炎生成装置。
【請求項４】
前記圧電式点火装置が第１、第２電極を備え、前記第１電極が前記棒と電気接続され、前記第２電極が前記内部管と電気接続された、請求項１記載の炎生成装置。
【請求項５】
前記棒を前記第１電極に電気接続する延長部分を有する、請求項４記載の炎生成装置。
【請求項６】
前記延長部分が前記棒と一体である、請求項４記載の炎生成装置。
【請求項７】
前記第１電極が前記棒に滑動自在に接続された、請求項５記載の炎生成装置。
【請求項８】
前記第１電極が前記延長部分に滑動自在に接続された、請求項５記載の炎生成装置。
【請求項９】
前記第１電極が、前記延長部分によって構成されたチャネルに可動的に受け入れられた、請求項５記載の炎生成装置。
【請求項１０】
前記内部管が硬質である、請求項１記載の炎生成装置。
【請求項１１】
前記内部管が可撓性である、請求項１記載の炎生成装置。
【請求項１２】
前記作動しない位置では、前記ラッチ部材が前記押しボタンと前記本体との間に位置決めされる、請求項１記載の炎生成装置。
【請求項１３】
前記本体が、使用者が作動させることができるように、前記ラッチ部材を露出させるように寸法形状決めされている第２のカットアウト部分を構成する、請求項１記載の炎生成装置。
【請求項１４】
前記ラッチ部材は、前記予め組立てたライターが不作動である位置においては前記押しボタンの動作を妨げ、前記予め組立てたライターが作動する位置においては前記押しボタンを妨げない、請求項１に記載の炎生成装置。
【請求項１５】
炎生成装置であって、
棒に連結された本体を有し、前記本体は予め組立てたライターを収容し、
前記予め組立てたライターが、圧電式点火装置と、閉鎖位置と開放位置との間で可動な弁と流体連通している燃料源とを収容するハウジングを有し、前記弁と点火装置が、押しボタンによって作動されて、選択的に燃料を放出し、火花を発生させ、
前記予め組立てたライターがさらにラッチ部材を備え、前記ラッチ部材は、前記組立てたライターが作動しない位置と、前記予め組立てたライターが作動する位置との間を移動することができ、
前記炎発生装置は更に、前記ライターの弁と流体連通している弁と、前記棒に設けられたノズルとを有し、
該点火装置が作動されたときに前記火花が前記ノズル付近で作られるように、前記点火装置が電機接続され、
前記本体はカットアウト部分を構成し、該カットアウト部分は、前記予め組立てたライターが前記本体内側に受け入れられたときに使用者が作動させることができるように、前記ラッチ部材を露出させるように寸法形状決めされている、
炎生成装置。
【請求項１６】
前記押しボタンが前記カットアウト部分を通って延びる、請求項１５記載の炎生成装置。
【請求項１７】
前記ラッチ部材が、作動後、付勢されて前記作動しない位置に戻る、請求項１５記載の炎生成装置。
【請求項１８】
前記ラッチ部材は、前記予め組立てたライターが作動しない位置においては前記押しボタンの作動を妨げ、前記予め組立てたライターが作動する位置においては前記押しボタンの作動を妨げる、請求項１５記載の炎生成装置。
【請求項１９】
延長炎生成装置であって、
本体部を有し、該本体部がこれよりも幅狭の延長棒部に連結され、前記本体が予め組立てたライターを収容し、
前記予め組立てたライターが、
圧電式点火装置と、閉鎖位置と開放位置との間で可動な弁と流体連通している燃料源とを収容するハウジングと、
燃料を放出し、火花を発生させるように、前記弁、前記点火装置を選択的に作動させる押しボタンと、
前記ライターが作動しない位置と、前記ライターが作動する位置との間を移動することができるラッチ部材とを備え、前記点火装置、前記燃料源、前記弁、前記押しボタン及び前記ラッチ部材がユニットとして予め組立てられ、
前記炎発生装置は更に、前記棒内に配置され、前記組立てたライターの前記弁及びノズルと流体連通している内部管を有し、前記棒と前記内部管は、前記点火装置が作動されたときに前記火花が前記ノズル付近で発生されるように、前記点火装置に電気接続され、
前記ライター本体が押しボタン用カットアウト部分を有し、該押しボタン用カットアウト部分は、前記予め組立てたライターが前記本体の内側に受け入れられたときに使用者が作動させることができるように前記押しボタンを露出させるように寸法形状決めされ、前記ライター本体がラッチ部材用カットアウト部分を有し、該ラッチ部材用カットアウト部分は、前記予め組立てたライターが前記本体に受け入れられたときに使用者が作動させることができるように前記ラッチ部材を露出させるように寸法形状決めされている、
炎生成装置。
【請求項２０】
炎生成装置であって、
棒に連結された本体を有し、該本体はカットアウト部分を構成し、前記本体は予め組立てたライターを収容し、該ライターは、
圧電式点火装置と、閉鎖位置と開放位置との間で可動な弁と流体連通している燃料源と、
燃料を放出し、火花を発生させるように前記弁、前記点火装置を選択的に作動する押しボタンと、
前記ライターが作動しない位置と、前記ライターが作動する位置との間を移動することができるラッチ部材を備え、
前記点火装置、前記燃料源、前記弁、前記押しボタン及び前記ラッチ部材がユニットとして予め組立てられ、
前記炎発生装置は更に、前記棒内に配置され、前記予め組立てたライターの前記弁及びノズルと流体連通している内部管を有し、前記棒と前記内部管は、前記点火装置が作動されたときに前記火花が前記ノズル付近で発生されるように、前記点火装置と電気接続され、
前記予め組立てたライターの押しボタンと、前記ラッチ部材は、前記予め組立てたライターが前記本体に受け入れられたときに前記カットアウト部分を介して使用者が作動させることができるように露出されている、
炎生成装置。
【請求項２１】
前記押しボタン用カットアウト部分と前記ラッチ部材用カットアウト部分とが同じカットアウト部分である、請求項２０記載の炎生成装置。
【請求項２２】
炎生成装置を操作する方法であって、
(a)  少なくとも１つの外側本体構成部品と、棒とを準備し、前記少なくとも１つの外側本体構成部品が、前記炎生成装置の外側本体の少なくとも一部を形成するようになっており、前記棒が前記外側本体と連結されるようになっており、
(b)  予め組立てたライターを準備し、
該予め組立てたライターが、圧電式点火装置と、閉鎖位置と開放位置との間で可動な弁と流体連通している燃料源とを備え、前記弁と点火装置が、押しボタンによって作動されて、選択的に燃料を放出し、火花を発生させ、
前記予め組立てたライターが更にラッチ部材を備え、前記ラッチ部材は、該ラッチ部材が前記押しボタンの作動を妨げる不作動位置と、前記ラッチ部材が前記押しボタンの作動を妨げない作動位置との間を移動することができ、
(c)  前記予め組立てたライターを前記少なくとも１つの外側本体構成部品内に挿入し、該少なくとも１つの外側本体構成部品の少なくとも１つのカットアウト部分が、前記押しボタン及び前記ラッチを露出するように寸法形状決めされ、
(d)  前記弁が前記棒のノズルと流体連通するように前記予め組立てたライターの前記弁を合致させ、前記点火装置が作動されたときに前記火花が前記ノズル付近で発生されるように前記点火装置を電気接続することを含む、
炎生成装置を操作する方法。
【請求項２３】
少なくとも１つの追加の外側本体構成部品を備えた前期外側本体を形成することを含む、請求項２２記載の炎生成装置を操作する方法。
【請求項２４】
前記ラッチ部材は、前記予め組立てたライターが作動しない位置においては前記押しボタンの作動を妨げ、前記予め組立てたライターが作動する位置においては前記押しボタンの作動を妨げない、請求項２２記載の炎生成装置を操作する方法。
【請求項２５】
前記ラッチ部材は、前記予め組立てたライターが作動しない位置においては前記押しボタンの作動を妨げ、前記予め組立てたライターが作動する位置においては前記押しボタンの作動を妨げない、請求項２４記載の炎生成装置を操作する方法。